(57)【要約】【課題】高い装飾的効果が得られる装飾パネルを提供すること。【解決手段】装飾パネル１０によれば、透光性を有する板状本体１２の内部に、その板状本体１２と異なる材質の装飾材１４が埋め込まれているので、板状本体を通過する光が装飾材によって拡散させられ、高い装飾的効果が得られる。また、ラメ１５は、一般に不透明な材料で構成されるので、板状本体１２内に分散配置された多数のラメ１５が光の透過を適度に妨げる。よって装飾パネル１０によれば、磨りガラスのように透光性を保ちつつ、適度に視界を遮ることができる。【選択図】図１
2010030137.tif 000002
【特許請求の範囲】
【請求項１】
透光性を有する板状本体の内部に、その板状本体と異なる材質の装飾材が埋め込まれていることを特徴とする装飾パネル。
【請求項２】
前記装飾材は、前記板状本体の内部に分散配置された多数の分散体からなることを特徴とする請求項１記載の装飾パネル。
【請求項３】
前記分散体は不透明な材料で構成されることを特徴とする請求項２記載の装飾パネル。
【請求項４】
前記分散体は、ラメで構成されることを特徴とする請求項２または３に記載の装飾パネル。
【請求項５】
前記板状本体は、アクリル樹脂で構成されることを特徴とする請求項１から４のいずれかに記載の装飾パネル。
【請求項６】
前記板状本体の側面に配設され、その側面へ向けて光を照射する発光体を備えることを特徴とする請求項１から５のいずれかに記載の装飾パネル。
【発明の詳細な説明】
【技術分野】
【０００１】
本発明は、高い装飾的効果が得られる装飾パネルに関するものである。
【背景技術】
【０００２】
装飾用の内装材料として、樹脂製の装飾パネルが知られている。樹脂製の装飾パネルは、天井、壁、床、家具などのあらゆる場所の内装材料として広く用いられている。
【特許文献１】特開２００２−３２８６３２号公報
【発明の開示】
【発明が解決しようとする課題】
【０００３】
しかしながら、より装飾的効果が高い装飾パネルの提供が求められているという問題があった。
【０００４】
本発明は、上記問題点を解決するためになされたものであり、高い装飾的効果が得られる装飾パネルを提供することを目的としている。
【課題を解決するための手段】
【０００５】
この目的を達成するために、請求項１記載の装飾パネルは、透光性を有する板状本体の内部に、その板状本体と異なる材質の装飾材が埋め込まれていることを特徴とする。
【０００６】
請求項２記載の装飾パネルは、請求項１記載の装飾パネルにおいて、前記装飾材は、前記板状本体の内部に分散配置された多数の分散体からなることを特徴とする。
【０００７】
請求項３記載の装飾パネルは、請求項２記載の装飾パネルにおいて、前記分散体は不透明な材料で構成されることを特徴とする。
【０００８】
請求項４記載の装飾パネルは、請求項２または３に記載の装飾パネルにおいて、前記分散体は、ラメで構成されることを特徴とする。
【０００９】
請求項５記載の装飾パネルは、請求項１から４のいずれかに記載の装飾パネルにおいて、前記板状本体は、アクリル樹脂で構成されることを特徴とする。
【００１０】
請求項６記載の装飾パネルは、請求項１から５のいずれかに記載の装飾パネルにおいて、前記板状本体の側面に配設され、その側面へ向けて光を照射する発光体を備えることを特徴とする。
【発明の効果】
【００１１】
請求項１記載の装飾パネルによれば、透光性を有する板状本体の内部に、その板状本体と異なる材質の装飾材が埋め込まれているので、板状本体の外部からその装飾材を視認することができ、高い装飾的効果が得られるという効果がある。
【００１２】
請求項２記載の装飾パネルによれば、請求項１記載の装飾パネルの奏する効果に加え、板状本体内に分散配置された多数の分散体のそれぞれが光を拡散させるので、高い装飾的効果が得られるという効果がある。
【００１３】
請求項３記載の装飾パネルによれば、請求項２記載の装飾パネルの奏する効果に加え、板状本体の内部に分散配置される多数の分散体が不透明な材料で構成されるので、磨りガラスのように透光性を保ちつつ、適度に視界を遮ることができるという効果がある。
【００１４】
請求項４記載の装飾パネルによれば、請求項２または３に記載の装飾パネルの奏する効果に加え、板状本体の内部に分散配置される多数のラメが光を拡散させて美しく輝き、高い装飾的効果が得られるという効果がある。
【００１５】
請求項５記載の装飾パネルによれば、請求項１から４のいずれかに記載の装飾パネルの奏する効果に加え、板状本体がアクリル樹脂で構成されるので、装飾的効果、耐熱性および機械的強度に優れた装飾パネルを安価に構成することができるという効果がある。
【００１６】
請求項６記載の装飾パネルによれば、請求項１から５のいずれかに記載の装飾パネルの奏する効果に加え、板状本体の側面へ向けて光を照射する発光体を備えるので、発光体から導入された光を受けて板状本体が明るく輝き、装飾的効果の高い照明装置として用いることができるという効果がある。また、板状本体の内部に埋め込まれた装飾材が、発光体からの光を受けて美しく浮かび上がり、高い装飾的効果が得られるという効果がある。
【発明を実施するための最良の形態】
【００１７】
以下、本発明の好ましい実施形態について、添付図面を参照して説明する。図１（ａ）は、本発明の第１実施形態の装飾パネル１０を示す正面図であり、図１（ｂ）は、図１（ａ）のIb−Ib線における装飾パネル１０の断面図である。
【００１８】
図１に示すように、装飾パネル１０は、透光性を有する板状本体１２の内部に、その板状本体１２と異なる材質の装飾材１４が埋め込まれて構成されている。装飾パネル１０によれば、板状本体１２の外部からその装飾材１４を視認することができ、高い装飾的効果が得られる。
【００１９】
板状本体１２は、アクリル樹脂で構成され、均一な厚みを有する略矩形状の板状部材である。板状本体１２をアクリル樹脂で構成することにより、耐熱性および機械的強度に優れた装飾パネル１０を安価に構成することができる。なお、板状本体１２は透光性を有する材料で構成されれば良く、アクリル樹脂以外の材料、例えば、ガラスやポリカーボネイト等から構成されても良い。また、板状本体１２は、矩形状以外の形状に構成されても良い。
【００２０】
装飾材１４は、板状本体１２の内部に分散配置された多数のラメ１５から構成される。よって、多数のラメ１５が、板状本体１２を透過する光を拡散させて美しく輝き、高い装飾的効果が得られる。ここで、ラメ１５は、光を反射して輝く金色または銀色の小片であって、具体的には、例えば、金糸または銀糸の断片、金属の切箔、またはアルミニウムなどの金属をプラスチックフィルムなどの表面に真空蒸着させたものを裁断して糸状にしたもので構成される。
【００２１】
ラメ１５は、一般に不透明な材料で構成されるので、板状本体１２内に分散配置された多数のラメ１５が光の透過を適度に妨げる。よって装飾パネル１０によれば、磨りガラスのように透光性を保ちつつ、適度に視界を遮ることができる。
【００２２】
第１実施形態の装飾パネル１０によれば、高い装飾的効果が得られるため、そのままインテリアや家屋の内装材料、宝飾品などの商品の陳列台として用いることができる。
【００２３】
次に、図２を参照して、第１実施形態の装飾パネル１０の利用例について説明する。図２（ａ）は、装飾パネル１０を用いて構成されたドア１６を示す図であり、図２（ｂ）は、装飾パネル１０を用いて構成された床１８を示す図である。
【００２４】
図２（ａ）に示すように、装飾パネル１０にドアノブなどの建具金物を取り付けてドア１６を構成すれば、磨りガラスのように、外からの光を内部へ通しながらも室内の様子を見え難くすることができるため、建築材としての利便性が高く、且つ、高い装飾的効果が得られる。
【００２５】
また、図２（ｂ）に示すように、装飾パネル１０を敷き詰めて床１８を構成すれば、装飾パネル１０に分散させられたラメ１５による反射光で床１８が輝き、高い装飾的効果が得られる。また、床１８のさらに下方に光源（図示せず）を配置し、床下から上方へ向けて光を照射すれば、装飾パネル１０を透過する光によって床１８が更に輝き、より高い装飾効果を得ることができる。
【００２６】
なお、図２に示す装飾パネル１０の利用例は単なる例示であって、他にも、壁や家具の全部または一部を装飾パネル１０で構成することにより、図２を参照して説明した利用例と同様に高い装飾的効果が得られる。
【００２７】
図３（ａ）は、第２実施形態の装飾パネル２０を示す正面図であり、（ｂ）は（ａ）のIIIb-IIIb線における装飾パネル２０の断面図である。図３に示すように、第２実施形態の装飾パネル２０は、透光性を有する板状本体１２と、板状本体１２の内部に埋め込まれた装飾材１４と、ライトユニット２２を備える。
【００２８】
なお、板状本体１２および装飾材１４の構成および作用は、図１を参照して説明した第１実施形態の装飾パネル１０の板状本体１２および装飾材１４と同一であるため、詳細な説明は省略する。また、図３は、装飾パネル２０の各部を分かりやすく示すために装飾パネル２０を模式的に図示したものであり、各部材の大小関係を必ずしも正確には反映していない。また、ライトユニット２２へ電気を供給するための配線等の細部の構成については図示を省略している。
【００２９】
図３に示すように、ライトユニット２２は、板状本体１２の一側面１２ａへ向けて光Ｌを照射するためのものであり、発光ダイオード２４と反射板２６とを主に備えている。ライトユニット２２は、その長手方向寸法値が、板状本体１２の側面１２ａの長手方向寸法値と略同等に設定され、板状本体１２の長手方向全体を照射可能に構成されている。
【００３０】
発光ダイオード２４は、板状本体１２の側面１２ａへ向けて光Ｌを照射可能に配置されている。発光ダイオード２４が照射する光Ｌは、板状本体１２に導かれ、板状本体１２全体を明るく照らす。
【００３１】
発光ダイオード２４は、図３（ｂ）に示すように、板状本体１２の厚み方向両端側（図３（ｂ）左右側）および照射方向後方側（図３（ｂ）下側）が、断面略コの字状の反射板２６によって覆われる。この反射材２６は、光を反射可能な材料で構成されるため、発光ダイオード２４が照射する光を効率良く板状本体１２の側面１２ａへ導くことができる。
【００３２】
ここで、図３（ｂ）を参照して、板状部材１２の厚みＴの好適な範囲について説明する。本発明者は、鋭意検討の結果、板状本体１２の厚みＴは、５ｍｍ以上１０ｍｍ以下とすることが望ましいことを見いだした。
【００３３】
板状本体１２の厚みＴを５ｍｍ以上とすることで、ライトユニット２２からの光Ｌを効率良く導き、高い照明効果を得ることができる。また、板状本体１２の厚みＴを１０ｍｍ以下とすることにより、板状本体１２の側面１２ａに向けて配設すべき発光ダイオード２４の個数が多大となることを抑制することができ、装飾パネル２０のコスト上昇を抑制することができる。
【００３４】
第２実施形態の装飾パネル２０によれば、ライトユニット２２から導入された光Ｌが板状本体１２を透過して、板状本体１２全体を明るく照らすため、装飾パネル２０を照明装置として用いることができる。また、板状本体１２の内部に埋め込まれたラメ１５が、ライトユニット２２からの光を受けて美しく浮かび上がり、高い装飾的効果が得られる。
【００３５】
次に、図４を参照して、第２実施形態の装飾パネル２０の利用例について説明する。図４（ａ）は、装飾パネル２０を用いて構成された表示体３０を示す図であり、図４（ｂ）は、装飾パネル２０を用いて構成された棚３２を示す図である。
【００３６】
図４（ａ）に示すように、装飾パネル２０の板状本体１２の表面に、凹状の装飾要素２８を形成し、看板などの表示体３０を構成すれば、ライトユニット２２からの光が、凹状の装飾要素２８に衝突し、散乱して、装飾要素２８を浮き立たせる。よって、装飾要素２８とラメ１５との相乗効果で高い装飾的効果が得られると共に、任意の画像や文字を示すことができる。なお、凹状の装飾要素２８は、例えば、ルータにより板状本体１２表面を彫刻することにより形成することができる。また、装飾要素２８を凸状に構成することとしても良い。
【００３７】
図３を参照して説明した装飾パネル２０を図４（ｂ）に示すように、横向き、すなわち、板状本体１２の厚み方向が鉛直方向となるように設置すれば、装飾パネル２０を棚３２として用いることができる。棚３２を構成する板状本体１２上に、例えば、商品Ｂを載置すれば、ライトユニット２２から照射された光が板状本体１２に導かれ、商品Ｂを下から照らし出すと共に、板状本体１２に分散配置されたラメ１５による反射光で棚３２が輝くため、高い装飾効果が得られる。
【００３８】
なお、図４に示す装飾パネル２０の利用例は単なる例示であって、他にも、置物などの室内装飾や照明、標識などを装飾パネル２０で構成することにより、図４を参照して説明した例と同様に高い装飾効果が得られる。
【００３９】
次に、装飾パネル１０の製造方法について説明する。図５は、装飾パネル１０の製造工程を模式的に示す図であり、（ａ）から（ｆ）は製造工程を順番に示している。
【００４０】
まず、図５（ａ）に示すように、液状のアクリル樹脂で構成される原液４０、ラメ１５、着色材４２を混ぜ合わせ、液状の樹脂材料４４を準備する（混合工程）。着色材４２としては、例えば、公知の着色顔料または着色染料などを用いることができるが、板状本体１２を透明に構成する場合は、着色材４２を投入しなくても良い。
【００４１】
次に、図５（ｂ）に示すように、準備した樹脂材料４４を、ガラス板４６上に載置した枠４８内に流し込む（流し込み工程）。図５（ｂ）においては、樹脂材料４４を流し込む途中の状態と、流し込みを完了した後の状態を図示している。
【００４２】
次に、図５（ｃ）に示すように、枠４８上にガラス５０を載置し、ガラス板４６，５０間に樹脂材料４４を封入する（封入工程）。
【００４３】
次に、水槽５２に溜められた温水５４に、ガラス板４６，５０内に封入した樹脂材料４４を浸し、温水５４の熱で樹脂材料４４を硬化させる（硬化工程）。樹脂材料４４の硬化後は、図５（ｅ），図５（ｆ）に示すように、ガラス板４６，５０および枠４８を外し、装飾パネル１０を離型する（離型工程）。
【００４４】
図５を参照して説明した製造方法によれば、ラメ１５が全体的にムラ無く分散配置され均一な厚みを有する装飾パネル１０を容易に製造することができると共に、従来のアクリル板の生産に要する機械設備を利用して装飾パネル１０を作ることができるので、設備を整えるために要するコストを安価に抑えることができる。
【００４５】
なお、図５を参照して説明した方法で製造される装飾パネル１０の側面に、ライトユニット２２（図３参照）を例えば接着剤等で固着することにより、第２実施形態の装飾パネル２０を製造することができる。
【００４６】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００４７】
例えば、上記実施形態では、板状本体１２が、１枚の板状部材から構成されていたが、２枚以上の板状部材の組み合わせから板状本体が構成されても良い。
【００４８】
図６（ａ）は、第１実施形態の装飾パネル１０の変形例である、装飾パネル６０の正面図であって、図６（ｂ）は、（ａ）に示すVIb-VIb線における装飾パネル６０の断面図である。
【００４９】
図６（ａ）に示すように、変形例の装飾パネル６０は、まず、矩形の第１の板状本体６２の内側を、例えばレーザ加工によりくり抜き、そのくり抜かれた形状に嵌合するように加工した第２の板状本体６４を、第１の板状本体６２にくり抜き部分に嵌合して構成される。このようにすれば、所望の形状を模様として装飾パネル６０に表現することができる。また、図６（ａ）に示すように、第１の板状本体６２と第２の板状本体６４との色を異ならせれば、色の組み合わせによる美観向上の効果も得られる。また、板状本体６２，６４に埋め込むラメ１５の色も、第１の板状本体６２と第２の板状本体６４とで異ならせれば、さらなる美観向上の効果が得られる。
【００５０】
また、上記実施形態では、装飾材１４が多数のラメ１５から構成されていたが、ラメ１５以外の物質を装飾材１４として採用しても良い。例えば、ビーズやガラス玉を、ラメ１５に代えて分散配置しても良い。
【００５１】
また、上記実施形態では、多数のビーズやガラス玉、ラメ１５を板状本体１２内に分散配置していたが、これに代えて、まとまりがある装飾材を板状本体内に埋め込むものであっても良い。
【００５２】
図６（ｃ）は、第１実施形態の装飾パネル１０の変形例である、装飾パネル７０の一部を拡大して示す斜視図である。装飾パネル７０においては、ラメ１５に代えて布７２が装飾材として板状本体１２の内部に埋め込まれる。このようにしても、実施形態で説明した装飾パネル１０と同様に、板状本体１２を通過する光が装飾材１４によって拡散させられ、高い装飾的効果が得られる。
【００５３】
また、光沢がある素材の布７２を用いれば、板状本体１２を透過する光が布７２で反射され、高い装飾的効果が得られる。
【００５４】
また、上記実施形態および変形例では、着色材４２（図５参照）により、板状本体１２を色付けするものとして説明したが、着色材４２の利用に代えて、例えば、板状本体１２の裏面側に、所望の色のカッティングシートを接着しても良い。また、板状本体１２の裏面に、所望の色を印刷することとしても良い。このようにしても、板状本体１２の表面から見れば、板状本体１２が所望の色に呈色して見える。
【図面の簡単な説明】
【００５５】
【図１】（ａ）は、本発明の第１実施形態の装飾パネルを示す正面図、（ｂ）は、（ａ）のIb−Ib線における装飾パネルの断面図である。
【図２】（ａ）は、装飾パネルを用いて構成されたドアを示す図であり、（ｂ）は、装飾パネルを用いて構成された床を示す図である。
【図３】（ａ）は、第２実施形態の装飾パネルを示す正面図であり、（ｂ）は（ａ）のIIIb-IIIb線における装飾パネルの断面図である。
【図４】（ａ）は、装飾パネルを用いて構成された表示体を示す図であり、（ｂ）は、装飾パネルを用いて構成された棚を示す図である。
【図５】装飾パネルの製造工程を模式的に示す図である。
【図６】（ａ）は、変形例の装飾パネルの正面図であり、（ｂ）は、（ａ）に示すVIb-VIb線における装飾パネルの断面図である。（ｃ）は、変形例の装飾パネルの一部を拡大して示す斜視図である。
【符号の説明】
【００５６】
１２                板状本体
１４                装飾材
１５                ラメ（分散体）
２４                発光ダイオード（発光体）
【図１】
2010030137.tif 000003
【図２】
2010030137.tif 000004
【図３】
2010030137.tif 000005
【図４】
2010030137.tif 000006
【図５】
2010030137.tif 000007
【図６】
2010030137.tif 000008